(57)【要約】【課題】ライブビュー表示をさせながらバルブ撮影を行う場合に、時間的に途切れのない撮影を可能とするとともに、ノイズの増加も抑制できる撮像装置を提供する。【解決手段】第１の受光素子と第２の受光素子の少なくとも２つの受光素子を各々が備えた単位画素が複数配列された撮像素子と、撮像素子による１枚の画像の撮影が終了するまでの間に、第２の受光素子から表示用の画像信号を複数回読み出すとともに、撮像素子による１枚の画像の撮影が終了した後に、第１の受光素子から記録用の画像信号を読み出す読み出し部とを備える。【選択図】図４
2017022623.tif 000002
【特許請求の範囲】
【請求項１】
第１の受光素子と第２の受光素子の少なくとも２つの受光素子を各々が備えた単位画素が複数配列された撮像素子と、
前記撮像素子による１枚の画像の撮影が終了するまでの間に、前記第２の受光素子から表示用の画像信号を複数回読み出すとともに、前記撮像素子による前記１枚の画像の撮影が終了した後に、前記第１の受光素子から記録用の画像信号を読み出す読み出し手段と、
を備えることを特徴とする撮像装置。
【請求項２】
前記撮像素子の前記第１および第２の受光素子の欠陥に関する情報を記憶する記憶手段をさらに備えることを特徴とする請求項１に記載の撮像装置。
【請求項３】
前記少なくとも２つの受光素子のうち、前記複数の単位画素において欠陥を有する受光素子の数が相対的に少ない受光素子を前記第１の受光素子とし、欠陥を有する受光素子の数が相対的に多い受光素子を前記第２の受光素子とすることを特徴とする請求項２に記載の撮像装置。
【請求項４】
前記少なくとも２つの受光素子の欠陥を検出し、前記記憶手段に記憶されている情報を更新する更新手段をさらに備えることを特徴とする請求項２または３に記載の撮像装置。
【請求項５】
前記表示用の画像信号は、前記第２の受光素子から画像信号を読み出すごとに、該画像信号をそれまで表示に用いられていた画像信号に加算することにより生成されることを特徴とする請求項１乃至４のいずれか１項に記載の撮像装置。
【請求項６】
前記記録用の画像信号は、前記撮像装置に装着されている記録媒体に記録されることを特徴とする請求項１乃至５のいずれか１項に記載の撮像装置。
【請求項７】
撮影レンズの焦点位置を調整する制御手段をさらに備え、前記制御手段は、前記撮影レンズの焦点位置を無限遠に調整することを特徴とする請求項１乃至６のいずれか１項に記載の撮像装置。
【請求項８】
前記撮像素子を遮光した状態で黒画像を撮影し、該黒画像を前記記録用の画像から減算する減算手段をさらに備えることを特徴とする請求項１乃至７のいずれか１項に記載の撮像装置。
【請求項９】
前記表示用の画像信号は、前記１枚の画像の撮影時間よりも短い間隔で逐次読み出されることを特徴とする請求項１乃至８のいずれか１項に記載の撮像装置。
【請求項１０】
第１の受光素子と第２の受光素子の少なくとも２つの受光素子を各々が備えた単位画素が複数配列された撮像素子を備える撮像装置を制御する方法であって、
前記撮像素子による１枚の画像の撮影が終了するまでの間に、前記第２の受光素子から表示用の画像信号を複数回読み出して表示させるとともに、前記撮像素子による前記１枚の画像の撮影が終了した後に、前記第１の受光素子から記録用の画像信号を読み出す読み出し工程を有することを特徴とする撮像装置の制御方法。
【請求項１１】
請求項１０に記載の制御方法をコンピュータに実行させるためのプログラム。
【請求項１２】
請求項１０に記載の制御方法をコンピュータに実行させるためのプログラムを記憶したコンピュータが読み取り可能な記憶媒体。
【発明の詳細な説明】
【技術分野】
【０００１】
本発明は、撮像装置及びその制御方法に関するものである。
【背景技術】
【０００２】
デジタルカメラなどに使用されている一般的な撮像素子の動作としては、受光した光をフォトダイオードで光電変換して電荷を蓄積する露光動作と、その後蓄積した電荷量に応じた電圧信号を外部へ出力する読み出し動作とがある。読み出し動作を行うと、撮像素子の温度が上昇し、その結果、暗電流によるノイズが増加することが知られている。一方、花火や星空の軌跡を撮影する場合などにバルブ撮影を行う。このとき、ユーザは撮影状況をライブビューによりリアルタイムに確認しながら、適切な露光ができたタイミングで撮影の終了操作を行いたいというニーズがある。
【０００３】
このようなニーズに対応し、なおかつ暗電流によるノイズを低減するために、特許文献１では、フィールド毎に異なる位置の画素の信号を読み出し、画素単位で積算した情報で合成画像を生成するとともに、積算した最新の情報で表示画像を作成する手法を提案している。
【先行技術文献】
【特許文献】
【０００４】
【特許文献１】特開２０１２−８０４５７号公報
【発明の概要】
【発明が解決しようとする課題】
【０００５】
しかしながら、特許文献１に開示されている手法では、画素の位置により読み出しタイミングが異なるため、暗電流によるノイズ個所が分散される反面、画素の位置により暗電流の影響が異なり、ノイズ感が一様にならないという問題がある。また、読み出し回数が増加すると、やはりノイズが増加する。
【０００６】
さらに、撮像素子が、蓄積した電荷を読み出し毎にクリアする破壊読み出し方式のものである場合、読み出し中には、画素への電荷の蓄積を行うことができない。したがって、花火や流れ星など、移動する被写体を撮影する場合に、途中で読み出し動作が入ってしまうと、複数回に蓄積を分割して後で合成したとしても、軌跡が途切れてしまうという課題があった。
【０００７】
本発明は上述した課題に鑑みてなされたものであり、その目的は、ライブビュー表示をさせながらバルブ撮影を行う場合に、時間的に途切れのない撮影を可能とするとともに、ノイズの増加も抑制できる撮像装置を提供することである。
【課題を解決するための手段】
【０００８】
本発明に係わる撮像装置は、第１の受光素子と第２の受光素子の少なくとも２つの受光素子を各々が備えた単位画素が複数配列された撮像素子と、前記撮像素子による１枚の画像の撮影が終了するまでの間に、前記第２の受光素子から表示用の画像信号を複数回読み出すとともに、前記撮像素子による前記１枚の画像の撮影が終了した後に、前記第１の受光素子から記録用の画像信号を読み出す読み出し手段と、を備えることを特徴とする。
【発明の効果】
【０００９】
本発明によれば、ライブビュー表示をさせながらバルブ撮影を行う場合に、時間的に途切れのない撮影を可能とするとともに、ノイズの増加も抑制できる撮像装置を提供することが可能となる。
【図面の簡単な説明】
【００１０】
【図１】第１の実施形態のデジタルカメラの構成を示すブロック図。
【図２】撮像素子の画素の構成を示す図。
【図３】第１の実施形態におけるバルブ撮影時の動作を示すフローチャート。
【図４】第１の実施形態におけるバルブ撮影時の撮像素子の蓄積状態の変化を示す図。
【図５】第１の実施形態におけるバルブ撮影時の動作を示すフローチャート。
【発明を実施するための形態】
【００１１】
以下、本発明の実施形態について、添付図面を参照して詳細に説明する。
【００１２】
（第１の実施形態）
図１は、本発明の撮像装置の第１の実施形態であるデジタルカメラ１００の構成を示すブロック図である。図１において、撮影レンズ１０３はズームレンズ、フォーカスレンズを含むレンズ群であり、被写体像を結像させる。絞り１０１は撮影レンズ１０３に入射した光の光量を調整する。撮像素子２２は、ＣＣＤやＣＭＯＳセンサ等で構成され、光学像を電気信号に変換する。Ａ／Ｄ変換器２３は、撮像素子２２から出力されるアナログ信号をデジタル信号に変換する。バリア１０２は、デジタルカメラ１００の、撮影レンズ１０３、絞り１０１、撮像素子２２を含む撮像系を覆うことにより、撮像系の汚れや破損を防止する。
【００１３】
画像処理部２４は、Ａ／Ｄ変換器２３からのデータ、又は、メモリ制御部１５からのデータに対し所定の画素補間処理、縮小処理といったリサイズ処理や、色変換処理、ガンマ補正処理、デジタルゲインの付加処理等の処理を行う。また、撮像した画像データを用いて所定の演算処理を行い、演算結果をシステム制御部５０に送信する。送信された演算結果に基づいて、システム制御部５０が露出制御、測距制御、ホワイトバランス制御等を行う。これにより、ＴＴＬ（スルー・ザ・レンズ）方式のＡＦ（オートフォーカス）処理、ＡＥ（自動露出）処理、ＥＦ（フラッシュプリ発光）処理等が行われる。また、画像処理部２４は、撮像した画像データを用いて所定の演算処理を行い、得られた演算結果に基づいてＴＴＬ方式のＡＷＢ（オートホワイトバランス）処理も行う。
【００１４】
Ａ／Ｄ変換器２３からの出力データは、画像処理部２４及びメモリ制御部１５を介して、或いは、メモリ制御部１５を介してデータを一時的に保持するメモリ３２に直接書き込まれる。メモリ３２は、撮像部２２によって撮像されＡ／Ｄ変換器２３によりデジタルデータに変換された画像データや、表示部２８に表示するための画像データを格納する。メモリ３２は、所定枚数の静止画、所定時間の動画像および音声を格納するのに十分な記憶容量を備えている。
【００１５】
また、メモリ３２は画像表示用のメモリ（ビデオメモリ）を兼ねている。Ｄ／Ａ変換器１３は、メモリ３２に格納されている画像表示用のデータをアナログ信号に変換して表示部２８に供給する。こうして、メモリ３２に書き込まれた表示用の画像データがＤ／Ａ変換器１３を介してＬＣＤ等の表示部２８により表示される。Ａ／Ｄ変換器２３によって一度Ａ／Ｄ変換されメモリ３２に蓄積されたデジタル信号をＤ／Ａ変換器１３においてアナログ変換し、表示部２８に逐次転送して表示することで、電子ビューファインダが実現され、スルー画像によるライブビュー表示を行うことができる。
【００１６】
不揮発性メモリ５６は、電気的に消去・記録可能なメモリであり、例えばＥＥＰＲＯＭが用いられる。不揮発性メモリ５６には、システム制御部５０の動作用の定数、プログラム等が記憶される。ここでいう、プログラムとは、後述する各種フローチャートを実行するためのプログラムのことである。
【００１７】
システム制御部５０は、デジタルカメラ１００全体を制御する。前述した不揮発性メモリ５６に記録されたプログラムを実行することにより、後述する本実施形態の各処理を実行する。システムメモリ５２には、ＲＡＭが用いられ、システム制御部５０の動作用の定数、変数、不揮発性メモリ５６から読み出したプログラム等を展開する。また、システム制御部５０はメモリ３２、Ｄ／Ａ変換器１３、表示部２８等を制御することにより表示制御も行う。
【００１８】
システムタイマー５３は各種制御に用いる時間や、内蔵された時計の時間を計測する。システム制御部５０に接続されたモード切替スイッチ６０、第１シャッタースイッチ６２第２シャッタースイッチ６４を有するシャッターボタン６１、操作部７０は、システム制御部５０に各種の動作指示を入力する。
【００１９】
モード切替スイッチ６０は、システム制御部５０の動作モードを静止画記録オートモード、静止画記録マニュアルモード、バルブモード、動画記録モード、再生モード等のいずれかに切り替える。第１シャッタースイッチ６２は、デジタルカメラ１００に設けられたシャッターボタン６１の操作途中、いわゆる半押しでＯＮとなり第１シャッタースイッチ信号ＳＷ１（撮影準備指示）を発生する。第１シャッタースイッチ信号ＳＷ１により、ＡＦ（オートフォーカス）処理、ＡＥ（自動露出）処理、ＡＷＢ（オートホワイトバランス）処理、ＥＦ（フラッシュプリ発光）処理等の撮影準備動作を開始する。
【００２０】
第２シャッタースイッチ６４は、シャッターボタン６１の操作完了、いわゆる全押しでＯＮとなり、第２シャッタースイッチ信号ＳＷ２（撮影開始指示）を発生する。そして、全押しを解除することで、第２シャッタースイッチ信号ＳＷ２が停止する。静止画記録オートモード、静止画記録マニュアルモードのとき、システム制御部５０は、第２シャッタースイッチ信号ＳＷ２により、撮像素子２２からの信号読み出しから記録媒体２００に画像データを書き込むまでの一連の撮影処理の動作を開始する。バルブモード、動画記録モードでは、システム制御部５０は、第２シャッタースイッチ信号ＳＷ２により、撮影処理の動作を開始する。そして、第２シャッタースイッチ信号ＳＷ２が停止することで、記録媒体２００に画像データを書き込むまでの撮影終了処理の動作を開始する。
【００２１】
操作部７０の各操作部材は、表示部２８に表示される種々の機能アイコンを選択操作することなどにより、場面ごとに適宜機能が割り当てられ、各種機能ボタンとして動作する。機能ボタンとしては、例えば終了ボタン、戻るボタン、画像送りボタン、ジャンプボタン、絞込みボタン、属性変更ボタン等がある。例えば、メニューボタンが押されると各種の設定可能なメニュー画面が表示部２８に表示される。利用者は、表示部２８に表示されたメニュー画面と、上下左右４方向の十字キーやＳＥＴボタンを用いて直感的に各種設定を行うことができる。
【００２２】
コントローラホイール７３は、操作部７０に含まれる回転操作可能な操作部材であり、十字キーと共に選択項目を指示する際などに使用される。コントローラホイール７３を回転操作すると、操作量に応じて電気的なパルス信号が発生し、このパルス信号に基づいてシステム制御部５０はデジタルカメラ１００の各部を制御する。また、このパルス信号によって、コントローラホイール７３が回転操作された角度や、回転した回数などを判定することができる。なお、コントローラホイール７３は回転操作が検出できる操作部材であればどのようなものでもよい。例えば、ユーザの回転操作に応じてコントローラホイール７３自体が回転してパルス信号を発生するダイヤル操作部材であってもよい。また、タッチセンサからなり、コントローラホイール７３自体は回転せず、コントローラホイール７３上でのユーザの指の回転動作などを検出するものであってもよい。
【００２３】
電源制御部８０は、電池検出回路、ＤＣ−ＤＣコンバータ、通電するブロックを切り替えるスイッチ回路等により構成され、電池の装着の有無、電池の種類、電池残量の検出を行う。また、電源制御部８０は、その検出結果及びシステム制御部５０の指示に基づいてＤＣ−ＤＣコンバータを制御し、必要な電圧を必要な期間、記録媒体２００を含む各部へ供給する。
【００２４】
電源部３０は、アルカリ電池やリチウム電池等の一次電池、ＮｉＣｄ電池やＮｉＭＨ電池、Ｌｉイオン電池等の二次電池、ＡＣアダプター等からなる。記録媒体Ｉ／Ｆ１８は、メモリカードやハードディスク等の記録媒体２００とのインターフェースである。記録媒体２００は、撮影された画像を記録するためのメモリカード等の記録媒体であり、半導体メモリや磁気ディスク等から構成される。
【００２５】
図２は、撮像素子２２の画素の構成を模式的に示す図である。本実施形態の撮像素子２２は、１つのマイクロレンズを有する単位画素が複数配列されて構成されている。一つの画素（単位画素）に２つのフォトダイオードが配置されており、撮像面位相差検出方式による自動焦点調節（以下、撮像面位相差ＡＦと呼ぶ）に用いる像信号を生成可能である。図２（ａ）は、撮像面位相差ＡＦに対応していない画素の構成、図２（ｂ）は、撮像面位相差ＡＦに対応した画素の構成の例を模式的に示している。なお、ここではいずれの場合もベイヤ配列の原色カラーフィルタが設けられているものとする。撮像面位相差ＡＦに対応した図２（ｂ）の画素構成では、図２（ａ）における１画素が紙面水平方向に２分割されており、１つの画素にＡ，Ｂの２つのフォトダイオード（受光素子）が設けられている。なお、図２（ｂ）に示した１つの画素を複数の受光素子に分割する方法は一例であり、他の分割方法を用いてもよいし、画素によって異なる分割方法を用いてもよい。
【００２６】
各画素に入射する光束をマイクロレンズで分離し、各画素に設けられた２つのフォトダイオード（受光素子）で受光することで、１つの画素で撮像用とＡＦ（オートフォーカス）用の２つの信号が取得できる。つまり、１つの画素内の２つの受光素子Ａ，Ｂのそれぞれで得られる信号（Ａ信号，Ｂ信号）がＡＦ用の２つの像信号であり、加算信号（Ａ＋Ｂ信号）が撮像信号である。また、合焦位置の撮像信号において、受光素子Ａまたは受光素子Ｂのいずれか一方のみの撮像信号は、加算信号（Ａ＋Ｂ信号）である撮像信号に対して感度が半減するが、他方の受光素子のみの撮像信号と同等の信号である。なお、通常の位相差検出ＡＦで用いる１対の像信号が複数の画素を有するラインセンサの１対により生成されるように、撮像面位相差ＡＦで用いられる１対の像信号も、複数の受光素子Ａと複数の受光素子Ｂの出力から生成される。ＡＦ用信号に基づいて、画像処理部２４で２つの像信号に対して相関演算を行うことにより、像ずれ量や各種の信頼性情報を算出することができる。
【００２７】
図３は、本実施形態のデジタルカメラ１００において、バルブ撮影を行って１枚の静止画を撮影する場合のシステム制御部５０の動作を示すフローチャートである。
【００２８】
図３において、まずステップＳ３００では、撮影準備を開始するかどうかを判定する。第１シャッタースイッチ６２がＯＮされると、ステップＳ３０１へ進み、ＯＮされなければ、第１シャッタースイッチ６２がＯＮされるまで待機する。ステップＳ３０１では、撮影の準備を行う。このステップでは、測光を行って露出量を決定したり、カメラの設定に応じた焦点調節動作や、ホワイトバランス設定などを行う。
【００２９】
ステップＳ３０２では、実際の撮影を開始するかどうかの判定を行う。第２シャッタースイッチ６４がＯＮされることで、撮影開始と判断し、ステップＳ３０３へ進む。ＯＮされなければ、ステップＳ３００へ戻る。ステップＳ３０３では、撮像素子２２で蓄積動作を開始する。シャッター１０１を開いて、受光素子Ａ，Ｂそれぞれで蓄積を開始する。ステップＳ３０４では、撮影を終了するかどうかを判定する。撮影の終了は、第２シャッタースイッチ６４がＯＦＦされたかどうかで判断する。第２シャッタースイッチ６４がＯＦＦされると、撮影終了のための動作を開始するため、ステップＳ３０５へ進む。第２シャッタースイッチ６４がＯＦＦされなければ、撮影を継続するための処理として、ステップＳ３１０へ進む。
【００３０】
ステップＳ３１０では、画像信号を逐次読み出して（複数回読み出して）逐次表示するライブビュー画像の更新タイミングであるか否かを判定する。ライブビュー画像の更新は、予めユーザが設定した一定期間経過毎のタイミング（一定の間隔）で行ってもよいし、ステップＳ３０１の測光結果や、前回のライブビュー画像の更新のタイミングで得た画像に応じて行うか否かを判定してもよい。ライブビュー画像の更新タイミングである場合は、ステップＳ３１１へ進む。ステップＳ３１１では、受光素子Ｂの撮像信号を読み出す。表示装置に応じたモードで、受光素子Ｂの撮像信号を撮像素子２２から読み出し、画像処理部２４へ送る。このとき、ライブビュー画像を表示する表示部２８の仕様に応じて受光素子Ｂの信号を読み出せばよく、受光素子Ｂの信号を加算や間引きして読み出すことで全画素を読み出す必要はない。
【００３１】
ステップＳ３１２では、ライブビュー画像を合成する。現在表示しているライブビュー画像は、メモリ３２に保存されており、ステップＳ３１１で読み出された受光素子Ｂの撮像信号を表示用の画像形式へ変換した画像データとメモリ３２から読み出した画像データとを加算する。ステップＳ３１３では、ステップＳ３１２で生成したライブビュー画像の合成結果をメモリ３２へ書き戻し、表示部２８の表示を更新する。表示を更新すると、ステップＳ３０４へ戻る。
【００３２】
一方、ステップＳ３０５では、記録用の画像信号を受光素子Ａから読み出す。撮影時間内に受光素子Ａに蓄積された信号を読み出し、撮像信号を画像処理部２４へ送り、ステップＳ３０６へ進む。ステップＳ３０６では、ノイズリダクション処理に使用する黒画像の撮影を行う。バルブ撮影などの長秒時撮影を行う場合、撮像素子の固定ノイズが画像に与える影響が大きくなる。そのため、保存用の画像を撮影したときと同じ撮影パラメータで、シャッター１０１を閉じて黒画像を撮影する。そして、ステップＳ３０８において、画像処理部２４により対応する画素ごとに、受光素子Ａの撮像信号から黒画像の撮像信号を減算する黒引き処理を行い、画像の現像を行う。次にステップＳ３０８において、ユーザが設定したファイルフォーマットに従い、記録用の画像ファイルを作成し、ステップＳ３０９において、記録媒体２００に画像ファイルを保存する。
【００３３】
図４は、本実施形態の撮影装置において、バルブ撮影を行う際の撮像素子２２の蓄積状態と時間の関係を示した図である。バルブ撮影を行う場合、受光素子Ａは記録用画像を撮影するために露光を行う。露光を行っている期間は、読み出しを行わないため、実際に蓄積された状態の画像４０１〜４０４を見ることができない。露光が終了すると、受光素子Ａから撮像信号を読み出し、撮影した画像４０５を得ることができる。受光素子Ａで露光を行っている期間、受光素子Ｂの画像４１１〜４１５は定期的に読み出される。読み出された受光素子Ｂの画像は、現在表示されているライブビュー画像４２１〜４２５と加算されて新たな表示画像が作成され、作成された表示画像が表示される。
【００３４】
たとえば、初めの受光素子Ｂの露光で得られた画像４１２と、表示を行っている画像４２１を加算して、新たな表示画像４２２を得ることができる。受光素子Ｂの各露光で得られる画像は、結果的に時間を経るごとに積分されていき、受光素子Ｂのそれぞれに対応する受光素子Ａがバルブ撮影により連続的に露光されることで蓄積された信号の状態に近い状態となっている。ユーザの操作により、バルブ撮影が終了すると、露光を終了し、記録用画像の撮像信号４０５が得られる。この後、撮像素子２２を遮光した状態で黒画像の撮影を行い、得られた黒画像４０６を使用して、ノイズリダクション処理を行い、記録用画像４２６を得る。記録用画像４２６から、所定のファイルフォーマットに従って、記録用ファイルを生成し、記録媒体２００へ保存する。
【００３５】
以上説明したように、第１の実施形態のデジタルカメラにおいては、受光素子Ａを記録用画像の撮影に使用し、途中で読み出しを行わないことにより、読み出しによるノイズの発生と、読み出しにより軌跡が途切れる現象を回避することができる。また、受光素子Ｂをライブビュー表示用の画像の撮影に使用することで、ユーザは撮影されている画像の状態をリアルタイムに知ることができる。
【００３６】
（第２の実施形態）
バルブ撮影を行う代表的な撮影用途として、星空撮影や、花火撮影など、暗所での風景撮影という被写界深度が深いシーンでの撮影を行うニーズが高い。一方、第１の実施形態で挙げた撮像素子２２は、一つの画素に２つのフォトダイオード（受光素子）が配置されており、撮像面位相差検出方式を目的として、受光素子Ａおよび受光素子Ｂから、位相差情報の出力を得ていた。したがって、被写界深度が浅い撮影を行う場合は、受光素子Ａと受光素子Ｂの撮像信号に差異が発生し、記録用に出力した画像とライブビュー画像が大きく異なってしまうことが起こる。また、暗所での風景撮影は、夜の空が作品の多くの面積を占めるため、撮像素子での固定ノイズが作品の品位を大きく下げてしまうことになる。そこで、第２の実施形態では、記録用に出力した画像とライブビュー画像の差異を極力少なくし、また、記録用画像への固定ノイズの影響を極力低減する例について説明する。以下、第２の実施形態のデジタルカメラ１００の、第１の実施形態と異なる部分について説明し、共通する部分については説明を省略する。
【００３７】
第２の実施形態では、図１の第１の実施形態のデジタルカメラ１００の構成を示すブロック図において、不揮発性メモリ５６へ、撮像素子２２の欠陥画素情報を記録しておく。欠陥画素情報とは、その画素が他の画素と同程度の性能を持たない画素であるかどうかの情報である。撮像素子２２には、数百万個以上の画素が存在するが、すべての画素が等しい性能を持つようにすることは、製造コストの面で困難である。そして、歩留まりを向上させるために、欠陥画素の数が基準値以下である撮像素子は良品として扱い、画像処理技術により、補正を行うことで対処している。この欠陥画素が、長秒時撮影では、固定ノイズとして表れ、光入力が無い画素が輝点になったり、光入力があるのに常時黒の点となったりする。このような固定ノイズに対して、ノイズリダクション処理を行う。欠陥画素情報は、製造時のテスト時に不揮発性メモリ５６へ記録しておくとよい。また、欠陥画素は、時間経過とともに増加する傾向があるので、使用の段階で、自動的に、または、ユーザ操作により、欠陥画素を検出し、不揮発性メモリ５６の情報を更新してもよい。欠陥画素情報は、欠陥のある受光素子Ａの総数、欠陥のある受光素子Ｂの総数を保存する領域を設けて保存しておく。
【００３８】
モード切替スイッチ６０には、バルブモードとは別に、暗所風景撮影モードを設ける。暗所風景撮影モードでも、バルブモードと同様に、第２シャッタースイッチ信号ＳＷ２により、撮影処理の動作が開始する。そして、第２シャッタースイッチ信号ＳＷ２が停止することで、記録媒体２００に画像データを書き込むまでの撮影終了処理の動作を開始する。
【００３９】
図５は、第２の実施形態のデジタルカメラにおいて、暗所風景撮影を行う際のシステム制御部５０の動作を示すフローチャートである。図３のバルブ撮影時のフローチャートと異なる点は、ステップＳ５０１の撮影準備、ステップＳ５０５の欠陥の少ない受光素子の読み出し、ステップＳ５１１の欠陥の多い受光素子の読み出しの３つのステップである。ステップＳ５０１の撮影準備のステップにおいては、測光を行って露出量を決定したり、ホワイトバランス設定などを行い、撮影レンズ１０３の焦点位置は無限遠に固定する。また、不揮発性メモリ５６に保存されている欠陥画素情報を読み出し、受光素子Ａと受光素子Ｂを比較して、欠陥の数が相対的に多いほうの受光素子をライブビュー表示画像撮影用の受光素子として選択する。他方を保存用の画像撮影用の受光素子として設定する。ステップＳ５１０において、ライブビュー画像の更新タイミングである場合には、ステップＳ５１１に進み、ステップＳ５０１で設定した欠陥の数が多い方のライブビュー表示画像撮影用の受光素子から撮像信号を読み出す。ステップＳ５０５では、ステップＳ５０１で設定した欠陥の数が少ない方の保存用の画像撮影用の受光素子を読み出す。
【００４０】
以上説明したように、第２の実施形態のデジタルカメラにおいては、暗所撮影モードで、焦点位置を無限遠に固定することで、被写界深度が浅いことに起因して保存用に出力した画像とライブビュー画像が大きく異なってしまうことを避けることができる。また、欠陥の数が少ないほうの受光素子を保存画像の撮影用に使用することで、撮像素子での固定ノイズが作品の品位を大きく下げてしまうことを避けることができる。
【００４１】
以上、本発明をその好適な実施形態に基づいて詳述してきたが、本発明はこれら特定の実施形態に限られるものではなく、この発明の要旨を逸脱しない範囲の様々な形態も本発明に含まれる。上述の実施形態の一部を適宜組み合わせてもよい。
【００４２】
（その他の実施形態）
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【符号の説明】
【００４３】
１００：デジタルカメラ、１０１：シャッター、２２：撮像素子、２４：画像処理部、２８：表示部、５０：システム制御部、５６：不揮発性メモリ、６０：モード切替スイッチ、７０：操作部、２００：記憶媒体
【図１】
2017022623.tif 000003
【図２】
2017022623.tif 000004
【図３】
2017022623.tif 000005
【図５】
2017022623.tif 000006
【図４】
2017022623.tif 000007